(57)【要約】【課題】現場機器を改造することなく、キーに代わるタブレットを使用することで、操作員の誤認を未然かつ安価に防止することができ、また、タブレットが垂直面に取付けられている状態で、外的振動があっても表示板、現場機器等からの脱落を防止する。【解決手段】発変電所の所内結線表示板２に取り付ける表示板用タブレット１ａと、現場機器３へ取り付ける機器用タブレット１ｂとの２枚１組を用いて、先ず、結線表示板２の該当する対象機器マークの位置に取り付けられている表示板用タブレット１ａを外し、次に、該表示板用タブレット１ａを裏返し、該当する現場機器３が正しいときは、該現場機器３の取付台座６に既に取り付けられている機器用タブレット１ｂに重ねて取り付けることができ、一方、該当する現場機器３が異なるときは表示板用タブレット１ａを機器用タブレット１ｂに重ねて取り付けることができず、操作しようとする対象の現場機器３を確認する。【選択図】図４
2008118794.tif 000002
【特許請求の範囲】
【請求項１】
発変電所の所内結線表示板又は模擬母線等の結線表示板（２）の対象機器マークと、現場に設置した現場機器（３）に、それぞれ機器ごとに固有の形状を有するタブレット（１ａ，１ｂ）を取り付け、
同型のタブレット（１ａ，１ｂ）でなければ、前記結線表示板（２）の取付台座（５）及び前記現場機器（３）の取付台座（６）にそれぞれ取り付けることができず、操作しようとする対象の現場機器（３）を確認する、ことを特徴とするタブレットを用いた機器誤認操作防止方法。
【請求項２】
発変電所の所内結線表示板又は模擬母線等の結線表示板（２）に取り付ける表示板用タブレット（１ａ）と、現場に設置した現場機器（３）へ取り付ける機器用タブレット（１ｂ）との２枚１組を用いて操作員の誤認を未然に防止するタブレットを用いた機器誤認操作防止方法であって、
先ず、前記結線表示板（２）の該当する対象機器マークの位置に取り付けられている表示板用タブレット（１ａ）を外し、
次に、該表示板用タブレット（１ａ）を裏返し、該当する現場機器（３）が正しいときは、該現場機器（３）の取付台座（６）に既に取り付けられている機器用タブレット（１ｂ）に重ねて取り付けることができ、一方、該当する現場機器（３）が異なるときは表示板用タブレット（１ａ）を機器用タブレット（１ｂ）に重ねて取り付けることができず、操作しようとする対象の現場機器（３）を確認する、ことを特徴とするタブレットを用いた機器誤認操作防止方法。
【請求項３】
前記操作する対象の現場機器（３）を確認する際に、操作項目（８）を表示した表裏面が異なる色彩の板材を張り合わせた機器用タブレット（１ｂ）を用いる、ことを特徴とする請求項２のタブレットを用いた機器誤認操作防止方法。
【請求項４】
前記操作する対象の現場機器（３）を確認する際に、操作項目（８）を表示した表裏面が異なる色彩の板材を張り合わせた表示板用タブレット（１ａ）を用いる、ことを特徴とする請求項２のタブレットを用いた機器誤認操作防止方法。
【請求項５】
発変電所の所内結線表示板又は模擬母線等の結線表示板（２）に取り付ける表示板用タブレット（１ａ）と、現場に設置した現場機器（３）に取り付ける機器用タブレット（１ｂ）との２枚１組から成り、同型のタブレット（１ａ，１ｂ）でなければその取付台座（５，６）に取り付けられないようにすることにより、操作員の誤認を未然に防止する機器操作用誤認防止タブレットであって、
前記機器ごとに固有の配置になる複数の挿通孔（４）を設けたタブレット（１ａ，１ｂ）と、
前記タブレット（１ａ，１ｂ）に設けた前記挿通孔（４）と嵌合うように複数本のピン（７）を配置した結線表示板（２）と現場機器（３）の各取付台座（５，６）と、を備え、
各タブレット（１ａ，１ｂ）に、前記各取付台座（５，６）から離脱しないように吸引手段を設けた、ことを特徴とする機器操作用誤認防止タブレット。
【請求項６】
前記吸引手段は、前記タブレット（１ａ，１ｂ）に磁石（９）を取り付け、前記結線表示板（２）と現場機器（３）の各取付台座（５，６）における該磁石（９）が重なる位置に磁石吸引金具（１０）を設けたものである、ことを特徴とする請求項５の機器操作用誤認防止タブレット。
【請求項７】
前記吸引手段は、前記タブレット（１ａ，１ｂ）の表裏面に磁石（９）を取り付け、前記結線表示板（２）と現場機器（３）の各取付台座（５，６）における該磁石（９）が重なる位置に、磁石吸引金具（１０）を設けたものである、ことを特徴とする請求項５の機器操作用誤認防止タブレット。
【請求項８】
前記吸引手段は、前記タブレット（１ａ，１ｂ）の表裏面に貫通するように磁石用透孔を開け、該磁石用透孔に磁石をこの表裏面に露出するように嵌め込み、前記結線表示板（２）と現場機器（３）の各取付台座（５，６）における該磁石の露出面が重なる位置に、磁石吸引金具を設けたものである、ことを特徴とする請求項５の機器操作用誤認防止タブレット。
【請求項９】
前記磁石（９）は、表面が略球面形状に形成したものである、ことを特徴とする請求項６又は７の機器操作用誤認防止タブレット。
【請求項１０】
前記磁石吸引金具（１０）は、表面が略球面形状に形成したものである、ことを特徴とする請求項６又は７の機器操作用誤認防止タブレット。
【発明の詳細な説明】
【技術分野】
【０００１】
本発明は、発変電所の現場機器を「操作票」となるタブレットを用いて確認しながら手順どおり操作する際に、その誤認を防止するタブレットを用いた機器誤認操作防止方法及びそのタブレットに関するものである。
【背景技術】
【０００２】
発変電所の現場機器を操作する際に、対象機器を「操作票」で確認し、手順どおりに操作していた。発変電所には所内結線表示板、また制御所等には所管系統表示板が設置されている。この操作票は、機器操作の手順を機器名称及び英数字等の番号で記載したものである。その後、所内結線表示板に機器状態を表示して、最終確認をしていた。この結線表示板は、機器全体のつながりがわかりやすく略記号で表現したものである。
【０００３】
現場機器の名称及び番号は、似ているものが多く、かつその配置が複雑であるために、発変電所構内では停電中「開」が正確に認識できず、操作票だけでは勘違いによる誤操作の原因になりやすかった。そこで、発変電所の「所内結線表示板」の対象機器マークと現場の対象機器に、鍵に代わるような同型の「タブレット」、但し機器ごとに固有の形状を有するものをそれぞれ取り付けている。このタブレットは機器ごとに固有の形をしているので、同型のタブレットでなければタブレットの取付台座にセットできず、操作員の誤認を未然に防止するものである。
【０００４】
このように操作員の誤認を未然に防止する技術が種々提案されている。例えば、各種の実施機械に加工・計測等の適切な条件を指示するために、成形工程においてワークとしての金型や仕様に対応づけて材料の選択やその巻き方などを成形機に指示する技術が提案されている。例えば、特許文献１の特開平７−６０８６２号公報「操作盤」に示すように、加工・計測等の実施機械に適切な条件を指示するための操作盤であって、ワーク等に合わせて選択される複数の押しボタンスイッチと、特定の押しボタンスイッチの位置にのみ穴をあけたタブレット板を掛け得る掛け具と、その掛け具にタブレット板が掛かったか否かを検知して不検知の際には押しボタンスイッチの機能を停止する検知手段とを備えた操作盤が提案されている。
【特許文献１】特開平７−６０８６２号
【０００５】
また、特許文献２の特開平８−１８８５９号公報「操作制御装置」に示すように、複数の第１の操作キーと、当該複数の第１の操作キーに応じた制御設定情報の下位階層に属する制御設定情報を選択設定する複数の第２の操作キーと、上記第１及び又は上記第２の操作キーに応じた制御設定情報を表示する表示手段とが操作パネル上に配され、上記第１の操作キーの操作及び続く上記第２の操作キーの操作により所定の電子機器の制御設定を切り換える操作制御装置において、上記操作パネルに複数の第３の操作キーが配され、上記第１の操作キー及び又は上記第２の操作キーに応じた制御設定情報を上記複数の第３の操作キーのうち指定された第３の操作キーに割り当てて登録すると共に、当該登録した制御設定情報を当該指定された第３の操作キーの操作に基づいて実行し、又は上記表示手段に表示することを特徴とする操作制御装置が提案されている。
【特許文献１】特開平８−１８８５９号
【発明の開示】
【発明が解決しようとする課題】
【０００６】
特許文献１の「操作盤」、特許文献２の「操作制御装置」は、人為的ミスを防止するためのタブレットやキーを使用する誤認防止器である。これらの特許文献は共に、電気的な操作装置による誤認防止であり、現場機器の手動操作には利用できないものであった。また、特許文献１、２共に回路改造により使用するものであり、そのためのコストが高価になるという問題を有していた。
【０００７】
現場機器に既に取り付けた機器用タブレットは、垂直面に取り付けられているため、機器動作による振動などが原因で少しずつ脱落方向へ移動し、取付台座から落下することが、頻繁に発生しており、時には紛失することもあった。このようにタブレットが、操作箱底面に落下する事例は頻繁に発生している。この場合は、このタブレットを探す手間や隙間に入ることで紛失することがあった。タブレットが、操作機構部内に落下すると、このタブレットが機構部内に入り、噛み込み状態になれば機器の動作不能を招くことがあった。最悪の場合は、その機器破損の原因になるという問題を有していた。
【０００８】
所内結線表示板に取り付けた表示板用タブレットは、表示板が移動式のものは移動時の床面凹凸による振動で、表示板用タブレットのほとんどが一度に落下することが頻繁に発生していた。例えば、壁面取付型の所内結線表示板の場合に、タブレットが制御室床面に数個落下していた。このような場合は、探す手間や隙間に入ることで紛失するという問題を有していた。また、表示板のタブレットのほとんどが一度に落下するため、慎重に移動する必要があり、一度落下すれば、数十個が一度に落下するため、現状復帰にかなりの時間と手間を必要としていた。
【０００９】
本発明は、かかる問題点を解決するために創案されたものである。すなわち、本発明の目的は、現場機器を改造することなく、キーに代わるタブレットを使用することで、操作員の誤認を未然かつ安価に防止することができ、また、タブレットが垂直面に取付けられている状態で、外的振動があっても表示板、現場機器等からの脱落を防止することができるタブレットを用いた機器誤認操作防止方法及びそのタブレットを提供することにある。
【課題を解決するための手段】
【００１０】
本発明の機器誤認操作防止方法によれば、発変電所の所内結線表示板又は模擬母線等の結線表示板（２）の対象機器マークと、現場に設置した現場機器（３）に、それぞれ機器ごとに固有の形状を有するタブレット（１ａ，１ｂ）を取り付け、
同型のタブレット（１ａ，１ｂ）でなければ、前記結線表示板（２）の取付台座（５）及び前記現場機器（３）の取付台座（６）にそれぞれ取り付けることができず、操作しようとする対象の現場機器（３）を確認する、ことを特徴とするタブレットを用いた機器誤認操作防止方法が提供される。
【００１１】
例えば、発変電所の所内結線表示板又は模擬母線等の結線表示板（２）に取り付ける表示板用タブレット（１ａ）と、現場に設置した現場機器（３）へ取り付ける機器用タブレット（１ｂ）との２枚１組を用いて操作員の誤認を未然に防止するタブレットを用いた機器誤認操作防止方法であって、先ず、前記結線表示板（２）の該当する対象機器マークの位置に取り付けられている表示板用タブレット（１ａ）を外し、次に、該表示板用タブレット（１ａ）を裏返し、該当する現場機器（３）が正しいときは、該現場機器（３）の取付台座（６）に既に取り付けられている機器用タブレット（１ｂ）に重ねて取り付けることができ、一方、該当する現場機器（３）が異なるときは表示板用タブレット（１ａ）を機器用タブレット（１ｂ）に重ねて取り付けることができず、操作しようとする対象の現場機器（３）を確認する。
前記操作する対象の現場機器（３）を確認する際に、操作項目（８）を表示した表裏面が異なる色彩の板材を張り合わせた機器用タブレット（１ｂ）を用いることが好ましい。
前記操作する対象の現場機器（３）を確認する際に、操作項目（８）を表示した表裏面が異なる色彩の板材を張り合わせた表示板用タブレット（１ａ）を用いることが好ましい。
【００１２】
本発明のタブレットによれば、発変電所の所内結線表示板又は模擬母線等の結線表示板（２）に取り付ける表示板用タブレット（１ａ）と、現場に設置した現場機器（３）に取り付ける機器用タブレット（１ｂ）との２枚１組から成り、同型のタブレット（１ａ，１ｂ）でなければその取付台座（５，６）に取り付けられないようにすることにより、操作員の誤認を未然に防止する機器操作用誤認防止タブレットであって、前記機器ごとに固有の配置になる複数の挿通孔（４）を設けたタブレット（１ａ，１ｂ）と、前記タブレット（１ａ，１ｂ）に設けた前記挿通孔（４）と嵌合うように複数本のピン（７）を配置した結線表示板（２）と現場機器（３）の各取付台座（５，６）と、を備え、各タブレット（１ａ，１ｂ）に、前記各取付台座（５，６）から離脱しないように吸引手段を設けた、ことを特徴とする機器操作用誤認防止タブレットが提供される。
【００１３】
前記吸引手段には、前記タブレット（１ａ，１ｂ）に磁石（９）を取り付け、前記結線表示板（２）と現場機器（３）の各取付台座（５，６）における該磁石（９）が重なる位置に磁石吸引金具（１０）を設ける手段がある。
前記吸引手段には、前記タブレット（１ａ，１ｂ）の表裏面に磁石（９）をそれぞれ取り付け、前記結線表示板（２）と現場機器（３）の各取付台座（５，６）における該磁石（９）が重なる位置に、磁石吸引金具（１０）を設ける手段がある。または、前記タブレット（１ａ，１ｂ）の表裏面に貫通するように磁石用透孔を開け、該磁石用透孔に磁石をこの表裏面に露出するように嵌め込み、前記結線表示板（２）と現場機器（３）の各取付台座（５，６）における該磁石の露出面が重なる位置に、磁石吸引金具を設ける手段もある。
前記磁石（９）は、表面が略球面形状に形成したものが好ましい。
前記磁石吸引金具（１０）は、表面が略球面形状に形成したものが好ましい。
【発明の効果】
【００１４】
上記構成の認操作防止方法では、現場機器（３）の改造を必要とせず、工夫を施したタブレット（１ａ，１ｂ）を使用することで、現場機器（３）の誤認を安価に防止できる。また、この表示用タブレット（１ａ，１ｂ）は裏返しにしてから、その操作項目を確認し、その裏返した表示用タブレット（１ａ，１ｂ）を、該当する現場機器（３）の位置の取付台座（６）に既に取り付けられている機器用タブレット（１ｂ）に重ねて取り付けることにより、現場機器（３）の誤認を確実に防止できると共に、操作項目も容易に確認することができる。即ち、該当する現場機器（３）が正しいときは、現場機器（３）の取付台座（６）に既に取り付けられている機器用タブレット（１ｂ）に重ねて取り付けることができ、該当する現場機器（３）が異なるときは表示板用タブレット（１ａ）を機器用タブレット（１ｂ）に重ねて取り付けることができないので、誤認を容易に認識することができる。最後に、現場機器（３）の操作が完了したら、この表示用タブレット（１ｂ）を現場機器（３）から外し、結線表示板（２）の該当する取付台座（５）に戻すように取り付ける。このときも異なる機器マークの取付台座（）には表示板用タブレット（１ｂ）を戻すことができないようになっている。
【００１５】
上記構成のタブレットでは、このタブレット（１ａ，１ｂ）に、各取付台座（５，６）から離脱しないように、タブレット（１ａ，１ｂ）に磁石（９）を取り付け、取付台座（５，６）における磁石（９）が重なる位置に磁石吸引金具（１０）を設けたので、この垂直面に取付けられたタブレット（１ａ，１ｂ）は、ているため、振動している現場機器（３）又は結線表示板（２）から落下することを防止することができる。また、磁石にような吸引手段によればタブレット（１ａ，１ｂ）を取付台座（５，６）に容易に吸着させ、また簡単に取付台座（５，６）から容易に外すことができるので、操作者の負担にならない。
【００１６】
磁石（９）の吸引面又は磁石吸引金具（１０）を略球面形状したものはタブレット（１ａ，１ｂ）は、これが取付台座５，６に強力に吸着しないので、取付台座（５，６）から容易に外すことができる。
【発明を実施するための最良の形態】
【００１７】
本発明のタブレットを用いた機器誤認操作防止方法は、発変電所の所内結線表示板又は模擬母線等の結線表示板の対象機器マークと、現場に設置した現場機器に、それぞれ機器ごとに固有の形状を有するタブレットをそれぞれに取り付け、同型のタブレットでなければ、結線表示板の取付台座及び現場機器の取付台座にそれぞれ取り付けることができず、操作しようとする対象の現場機器を確認する防止方法である。
【実施例１】
【００１８】
以下、本発明の好ましい実施の形態を図面を参照して説明する。
図１は本発明の実施例１の表示板用タブレットを示すものであり、（ａ）はタブレットの正面図、（ｂ）はタブレットの側面図、（ｃ）はタブレットの背面図、（ｄ）は取付台座の正面図、（ｅ）は取付台座の側面図である。図２は機器用タブレットを示すものであり、（ａ）はタブレットの正面図、（ｂ）はタブレットの側面図、（ｃ）はタブレットの背面図、（ｄ）は取付台座の正面図、（ｅ）は取付台座の側面図である。
本発明の機器操作用誤認防止に使用するタブレット１ａ，１ｂは、所内結線表示板又は模擬母線などの結線表示板２に取り付ける表示板用タブレット１ａと、現場に設置した現場機器３に取り付ける機器用タブレット１ｂの２枚１組として用いる。このタブレット１ａ，１ｂは、対称的な形状を有し、現場手動操作を誤りなく行うために使用する。各タブレット１ａ，１ｂには挿通孔４を３箇所設ける。また、結線表示板２の取付台座５又は現場機器３の取付台座６にはピン７を３本突設する。このタブレット１ａ，１ｂは、手動操作の機器毎について作成する。タブレット１ａ，１ｂの挿通孔４の配置は、それぞれ適正に配置し、他のタブレット１ａ，１ｂと混同しないようになっている。なお、この挿通孔４の数は３箇所に限定されない。同様に、ピン７の本数も３本に限定されないことは勿論である。
【００１９】
図３は本発明の表示板用タブレットを用いて現場機器を操作する手順を説明するもので、「常時運転状態」の説明図である。
このようなタブレット１ａ，１ｂを用いて、現場機器３を操作する手順を説明する。
先ず、図示するように、「常時運転状態」では、配電盤室における所内結線表示板２には、該当する機器の位置（対象機器マーク）に表示板用タブレット１ａが取り付けられている。この該当する現場機器（ＳＷＧ）、例えば「Ｎｏ．５ＢＳＣ  ＶＣＢ「入」」には、同形の機器用タブレット１ｂが取り付けられている。図示上では１個の表示板用タブレット１ａしか記載されていないが、実際は十数個、又は数十個のタブレットが取り付けられている。
【００２０】
図４は本発明の表示板用タブレットを用いて現場機器を操作する手順を説明するもので、「ＶＣＢ引出し操作時」の説明図である。
次に、図示するように、手順１として「Ｎｏ．５ＢＳＣ  ＶＣＢ引出し操作時」では、配電盤室における「所内結線表示板」の該当する機器の位置に取り付けられている表示用板タブレット１ａを外す。この表示板用タブレット１ａを裏返しにして、該当する現場機器３の取付台座６に既に取り付けられている機器用タブレット１ｂに重ねて取り付ける。これにより、操作しようとする対象機器３を確認することで、誤認を防止することができる。なお、間違った対象機器３のときは、この表示板用タブレット１ａが機器用タブレット１ｂに重ねて取り付けることができず、操作員はその機器３は目的とする機器でないことを認識することができる。
【００２１】
即ち、該当する現場機器３が正しいときは、この現場機器３の取付台座６に既に取り付けられている機器用タブレット１ｂに重ねて取り付けることができ、該当する現場機器３が異なるときは表示板用タブレット１ａを機器用タブレット１ｂに重ねて取り付けることができないので、操作員はその作業現場において、誤認を容易に認識することができる。
【００２２】
機器用タブレット１ｂは、操作項目８を表示した表裏面が異なる色彩の板材を張り合わせたものを用いる。同様に、表示板用タブレット１ａも操作項目８を表示した表裏面が異なる色彩の板材を張り合わせたものを用いる。図示例は、現場機器３の番号の「Ｎｏ．５ＢＳＣ」と操作項目８の「押入」（表面）、「引出」（裏面）が記載されたものである。勿論のこの操作項目８は一例で、他の種々の操作項目名を記載することができる。このように、本発明の表示用タブレット１ａ，１ｂは裏返しにしてから、その操作項目８を確認し、その裏返した表示用タブレット１ａ，１ｂを、該当する現場機器３の位置の取付台座６に既に取り付けられている機器用タブレット１ｂに重ねて取り付けることにより、現場機器３の誤認を確実に防止できるだけでなく、操作項目８も容易に確認することができる。
【００２３】
図５は本発明の表示板用タブレットを用いて現場機器を操作する手順を説明するもので、「ＶＣＢ引出し操作完了時」の説明図である。
最後に、図示するように、手順２として「Ｎｏ．５ＢＳＣ  ＶＣＢ引出し操作完了時」では、現場機器３に既に取り付けられている表示板用タブレット１ａを外し、この表示板用タブレット１ａを裏返しにしてから、配電盤室における所内結線表示板２の該当する機器の位置の取付台座５に戻すように取り付ける。このときも異なる機器マークの取付台座５には表示板用タブレット１ａを戻すことができないようになっている。
【実施例２】
【００２４】
図６は実施例２の磁石を装着した表示板用タブレットを示すものであり、（ａ）はタブレットの正面図、（ｂ）はタブレットの側断面図、（ｃ）はタブレットの背面図、（ｄ）は取付台座の正面図、（ｅ）は取付台座の側面図である。図７は実施例２の磁石を装着した機器用タブレットを示すものであり、（ａ）はタブレットの正面図、（ｂ）はタブレットの側断面図、（ｃ）はタブレットの背面図、（ｄ）は取付台座の正面図、（ｅ）は取付台座の側面図である。
実施例２では、タブレット１ａ，１ｂに磁石９を装着し、取付台座５，６に磁石吸引金具１０を装着した。各タブレット１ａ，１ｂは、屋外にも設置されるため、アクリル製の材質が主流である。また、取付台座５，６も錆と耐久性を目的として黄銅製クロームメッキの材質が主流である。そこで、タブレット１ａ、１ｂのみに磁石のような吸引手段を施しても取付台座５，６に吸引しなかった。そこで、実施例２のタブレット１ａ，１ｂは、吸引手段として磁石９を取り付けた。結線表示板２と現場機器３の各取付台座５，６における磁石９が重なる位置に磁石吸引金具１０を設けた。例えば、図６（ｅ）に示すように、タブレット１ａ，１ｂの表裏面に磁石９をそれぞれ取り付け、結線表示板２と現場機器３の各取付台座５，６における磁石９が重なる位置に磁石吸引金具１０を設けた。
【００２５】
なお、タブレット１ａ，１ｂの表裏面に貫通するように磁石用透孔を開け、この磁石用透孔に磁石（図示していない）を、この表裏面に露出するように嵌め込み、結線表示板２と現場機器３の各取付台座５，６における磁石の露出面が重なる位置に、磁石吸引金具を設けた構成でもよい。このように構成すれば、１個のタブレット１ａ，１ｂには、１個の豆磁石で製造することができる。
【００２６】
実施例２のタブレットでは、このように垂直面に取付けられていても、振動している現場機器３又は結線表示板２から落下することを防止することができる。また、磁石９にような吸引手段によればタブレット１ａ，１ｂを取付台座５，６に容易に吸着させ、また簡単に取付台座５，６から容易に外すことができるので、操作者の負担にならない。
【００２７】
タブレット１ａ，１）の表裏面に装着する磁石９は、図示例のように平坦な円形に限定されず、吸引面が略球面形状になるように形成することが好ましい。本発明の磁石９は現場機器３又は結線表示板２の振動による落下を防止することを目的としているので強力な吸引力を必要としない。そこで、磁石９の吸引面を略球面形状にすることで、タブレット１ａ，１ｂが取付台座５，６に強力に吸着しないので、取付台座５，６から容易に外すことができ、操作者の負担にならない。
【００２８】
同様に、取付台座５，６に装着する磁石吸引金具１０も、図示例のように平坦な円形に限定されず、表面が略球面形状になるように形成することが好ましい。このような形状の磁石吸引金具１０であれば、取付台座５，６にタブレット１ａ，１ｂが強力に吸着しないので、容易に外すことができ、操作者の負担にならない。
【００２９】
なお、本発明は、現場機器３の改造することなく、キーに代わるタブレット１ａ，１ｂを使用することで、操作員の誤認を未然かつ安価に防止することができ、また、タブレット１ａ，１ｂが取付台座５，６に垂直面に取付けられている状態で、外的振動があっても結線表示板２、現場機器３等からの脱落を防止することができれば、上述した発明の実施の形態に限定されず、本発明の要旨を逸脱しない範囲で種々変更できることは勿論である。
【産業上の利用可能性】
【００３０】
本発明のタブレットを用いた機器誤認操作防止方法及びそのタブレットは、発変電所の現場機器操作する際に利用することができるが、結線表示板と現場の機器とを関連付けて操作する作業であればその機器の誤認操作を防止する方法として利用することができる。
【図面の簡単な説明】
【００３１】
【図１】本発明の実施例１の表示板用タブレットを示すものであり、（ａ）はタブレットの正面図、（ｂ）はタブレットの側面図、（ｃ）はタブレットの背面図、（ｄ）は取付台座の正面図、（ｅ）は取付台座の側面図である。
【図２】機器用タブレットを示すものであり、（ａ）はタブレットの正面図、（ｂ）はタブレットの側面図、（ｃ）はタブレットの背面図、（ｄ）は取付台座の正面図、（ｅ）は取付台座の側面図である。
【図３】本発明の表示板用タブレットを用いて現場機器を操作する手順を説明するもので、「常時運転状態」の説明図である。
【図４】本発明の表示板用タブレットを用いて現場機器を操作する手順を説明するもので、「ＶＣＢ引出し操作時」の説明図である。
【図５】本発明の表示板用タブレットを用いて現場機器を操作する手順を説明するもので、「ＶＣＢ引出し操作完了時」の説明図である。
【図６】実施例２の磁石を装着した表示板用タブレットを示すものであり、（ａ）はタブレットの正面図、（ｂ）はタブレットの側断面図、（ｃ）はタブレットの背面図、（ｄ）は取付台座の正面図、（ｅ）は取付台座の側面図である。
【図７】実施例２の磁石を装着した機器用タブレットを示すものであり、（ａ）はタブレットの正面図、（ｂ）はタブレットの側断面図、（ｃ）はタブレットの背面図、（ｄ）は取付台座の正面図、（ｅ）は取付台座の側面図である。
【符号の説明】
【００３２】
１ａ  表示板用タブレット
１ｂ  機器用タブレット
２  結線表示板
３  現場機器
４  挿通孔
５  取付台座（結線表示板側）
６  取付台座（現場機器側）
７  ピン
８  操作項目
９  磁石
１０  磁石吸引金具
【図１】
2008118794.tif 000003
【図２】
2008118794.tif 000004
【図３】
2008118794.tif 000005
【図４】
2008118794.tif 000006
【図５】
2008118794.tif 000007
【図６】
2008118794.tif 000008
【図７】
2008118794.tif 000009